(57)【要約】  本開示は、ピコ／フェムト基地局のための、干渉の抑制を改善するピコ／フェムトアップリンク肯定応答（ＡＣＫ）チャネルの設計を提案する。提案される設計は、コンピュータで生成されるシーケンス（ＣＧＳ）と離散フーリエ変換（ＤＦＴ）拡散とを用いて、フェムト／ピコセルのための２段階のセル分離ＡＣＫチャネル構造を提供する。こうして、ＡＣＫチャネルは、最低限の干渉で、異なるフェムト／ピコ基地局にわたって多重化されうる。提案される方式は、マクロセル内の基地局向けの従来の規格と適合し、マクロセルに対しては何ら変化を与えない。
2013500636.tif 000002
【特許請求の範囲】
【請求項１】
基本シーケンスと１つまたは複数のセル特有のシーケンスとをネットワークから受信することと、
少なくとも１つのシフト値をユーザー装置（ＵＥ）に割り当てることと、
情報を前記ＵＥに送ることであって、前記情報が、前記基本シーケンスと、前記セル特有のシーケンスのうちの１つと前記シフト値とを備える、送ることと、および
前記ＵＥから信号を受信することであって、前記信号が、前記受信された情報に少なくとも基づいて生成される、受信することと
を備える、ワイヤレス通信のための方法。
【請求項２】
非コヒーレントな伝送モードにおいて、前記受信された信号が肯定応答（ＡＣＫ）であるか否定応答（ＮＡＣＫ）であるかを、エネルギー検知方式によって判定することをさらに備える、請求項１に記載の方法。
【請求項３】
前記エネルギー検知方式による前記判定が、
第１のエネルギー値と第２のエネルギー値とを、前記受信した信号に、第１のシフトされた基本シーケンスと第２のシフトされた基本シーケンスとを掛けることによって求めることと、
前記第１のエネルギー値と前記第２のエネルギー値のうちの小さい方を、ノイズの変化として選択することと、
前記第１のエネルギー値と前記第２のエネルギー値の比を、閾値と比較することであって、前記閾値が前記ノイズの変化の関数である、比較することと、
前記比が前記閾値よりも小さく、前記閾値の逆数よりも大きい場合、非連続な伝送であると決定することと、
前記比が前記閾値よりも大きく、前記第１のエネルギー値が前記第２のエネルギー値よりも大きい場合、ＡＣＫであると決定することと、および
前記比が前記閾値の前記逆数よりも小さく、前記第２のエネルギー値が前記第１のエネルギー値よりも大きい場合、ＮＡＣＫであると決定することと
を備える、請求項２に記載の方法。
【請求項４】
前記第１のシフトされた基本シーケンスが、前記基本シーケンスを前記シフト値のうちの１つによりシフトすることで生成される、請求項３に記載の方法。
【請求項５】
前記基本シーケンスが、識別値に基づいて決定される、コンピュータにより生成されるシーケンス（ＣＧＳ）である、請求項１に記載の方法。
【請求項６】
前記識別値が、セル識別子またはグローバル識別子を備える、請求項５に記載の方法。
【請求項７】
前記セル特有のシーケンスの各々が、１つの直交行列の１つの列である、請求項１に記載の方法。
【請求項８】
前記直交行列が、離散フーリエ変換（ＤＦＴ）行列である、請求項７に記載の方法。
【請求項９】
前記直交行列の異なる列が、異なる近隣のセルに割り当てられる、請求項７に記載の方法。
【請求項１０】
２つ以上のセル特有のシーケンスがセルに割り当てられ、サポートされるＵＥの数を増やす、請求項１に記載の方法。
【請求項１１】
前記ＡＣＫ信号が、前記基本シーケンスと前記シフト値の１つとに少なくとも基づいて生成される、請求項２に記載の方法。
【請求項１２】
前記セル特有のシーケンスの各々が、非コヒーレントな伝送モードにおいて、１つの７×７の離散フーリエ変換（ＤＦＴ）行列の１つの列を備える、請求項１に記載の方法。
【請求項１３】
前記セル特有のシーケンスの各々が、コヒーレントな伝送モードにおいて、１つの４×４の直交符号の１つの列、または１つの３×３の離散フーリエ変換（ＤＦＴ）行列の１つの列を備える、請求項１に記載の方法。
【請求項１４】
少なくとも２つのシーケンスと１つまたは複数のシフト値とを基地局から受信することと、
前記受信されたシーケンスと前記シフト値とに少なくとも基づいて、肯定応答（ＡＣＫ）信号または否定応答（ＮＡＣＫ）信号を生成することであって、前記ＡＣＫ信号および前記ＮＡＣＫ信号が、コヒーレントな伝送モードにおいて異なる変調シンボルを利用し、または、非コヒーレントな伝送モードにおいて異なるシフト値を利用する、生成することと、および
前記ＡＣＫ信号または前記ＮＡＣＫ信号を前記基地局に送信することと
を備える、ワイヤレス通信のための方法。
【請求項１５】
前記シーケンスが、識別値に基づいて決定される、コンピュータにより生成されるシーケンス（ＣＧＳ）を備える、請求項１４に記載の方法。
【請求項１６】
前記シーケンスが、離散フーリエ変換（ＤＦＴ）シーケンスまたは直交符号を備える、請求項１４に記載の方法。
【請求項１７】
基本シーケンスと１つまたは複数のセル特有のシーケンスとをネットワークから受信するためのロジックと、
少なくとも１つのシフト値をユーザー装置（ＵＥ）に割り当てるためのロジックと、
情報を前記ＵＥに送るためのロジックであって、前記情報が、前記基本シーケンスと、前記セル特有のシーケンスのうちの１つと前記シフト値とを備える、ロジックと、および
前記ＵＥから信号を受信するためのロジックであって、前記信号が、前記受信された情報に少なくとも基づいて生成される、ロジックと
を備える、ワイヤレス通信のための装置。
【請求項１８】
非コヒーレントな伝送モードにおいて、前記受信された信号が肯定応答（ＡＣＫ）であるか否定応答（ＮＡＣＫ）であるかを、エネルギー検知方式によって判定するためのロジックをさらに備える、請求項１７に記載の装置。
【請求項１９】
前記エネルギー検知方式により判定するための前記ロジックが、
第１のエネルギー値と第２のエネルギー値とを、前記受信した信号に、第１のシフトされた基本シーケンスと第２のシフトされた基本シーケンスとを掛けることによって求めるためのロジックと、
前記第１のエネルギー値と前記第２のエネルギー値のうちの小さい方を、ノイズの変化として選択するためのロジックと、
前記第１のエネルギー値と前記第２のエネルギー値の比を、閾値と比較するためのロジックであって、前記閾値が前記ノイズの変化の関数である、ロジックと、
前記比が前記閾値よりも小さく、前記閾値の逆数よりも大きい場合、非連続な伝送であると決定するためのロジックと、
前記比が前記閾値よりも大きく、前記第１のエネルギー値が前記第２のエネルギー値よりも大きい場合、ＡＣＫであると決定するためのロジックと、および
前記比が前記閾値の前記逆数よりも小さく、前記第２のエネルギー値が前記第１のエネルギー値よりも大きい場合、ＮＡＣＫであると決定するためのロジックと
を備える、請求項１８に記載の装置。
【請求項２０】
前記第１のシフトされた基本シーケンスが、前記基本シーケンスを前記シフト値のうちの１つによりシフトすることで生成される、請求項１９に記載の装置。
【請求項２１】
前記基本シーケンスが、識別値に基づいて決定される、コンピュータにより生成されるシーケンス（ＣＧＳ）である、請求項１７に記載の装置。
【請求項２２】
前記識別値が、セル識別子またはグローバル識別子を備える、請求項２１に記載の装置。
【請求項２３】
前記セル特有のシーケンスの各々が、１つの直交行列の１つの列である、請求項１７に記載の装置。
【請求項２４】
前記直交行列が、離散フーリエ変換（ＤＦＴ）行列である、請求項２３に記載の装置。
【請求項２５】
前記直交行列の異なる列が、異なる近隣のセルに割り当てられる、請求項２３に記載の装置。
【請求項２６】
２つ以上のセル特有のシーケンスがセルに割り当てられ、サポートされるＵＥの数を増やす、請求項１７に記載の装置。
【請求項２７】
前記ＡＣＫ信号が、前記基本シーケンスと前記シフト値の１つとに少なくとも基づいて生成される、請求項１８に記載の装置。
【請求項２８】
前記セル特有のシーケンスの各々が、非コヒーレントな伝送モードにおいて、１つの７×７の離散フーリエ変換（ＤＦＴ）行列の１つの列を備える、請求項１７に記載の装置。
【請求項２９】
前記セル特有のシーケンスの各々が、コヒーレントな伝送モードにおいて、１つの４×４の直交符号の１つの列、または１つの３×３の離散フーリエ変換（ＤＦＴ）行列の１つの列を備える、請求項１７に記載の装置。
【請求項３０】
少なくとも２つのシーケンスと１つまたは複数のシフト値とを基地局から受信するためのロジックと、
前記受信されたシーケンスと前記シフト値とに少なくとも基づいて、肯定応答（ＡＣＫ）信号または否定応答（ＮＡＣＫ）信号を生成するためのロジックであって、前記ＡＣＫ信号および前記ＮＡＣＫ信号が、コヒーレントな伝送モードにおいて異なる変調シンボルを利用し、または、非コヒーレントな伝送モードにおいて異なるシフト値を利用する、ロジックと、
前記ＡＣＫ信号または前記ＮＡＣＫ信号を前記基地局に送信するためのロジックと
を備える、ワイヤレス通信のための装置。
【請求項３１】
前記シーケンスが、識別値に基づいて決定される、コンピュータにより生成されるシーケンス（ＣＧＳ）を備える、請求項３０に記載の装置。
【請求項３２】
前記シーケンスが、離散フーリエ変換（ＤＦＴ）シーケンスまたは直交符号を備える、請求項３０に記載の装置。
【請求項３３】
基本シーケンスと１つまたは複数のセル特有のシーケンスとをネットワークから受信するための手段と、
少なくとも１つのシフト値をユーザー装置（ＵＥ）に割り当てるための手段と、
情報を前記ＵＥに送るための手段であって、前記情報が、前記基本シーケンスと、前記セル特有のシーケンスのうちの１つと前記シフト値とを備える、手段と、および
前記ＵＥから信号を受信するための手段であって、前記信号が、前記受信された情報に少なくとも基づいて生成される、手段と
を備える、ワイヤレス通信のための装置。
【請求項３４】
少なくとも２つのシーケンスと１つまたは複数のシフト値とを基地局から受信するための手段と、
前記受信されたシーケンスと前記シフト値とに少なくとも基づいて、肯定応答（ＡＣＫ）信号または否定応答（ＮＡＣＫ）信号を生成するための手段であって、前記ＡＣＫ信号および前記ＮＡＣＫ信号が、コヒーレントな伝送モードにおいて異なる変調シンボルを利用し、または、非コヒーレントな伝送モードにおいて異なるシフト値を利用する、手段と、および
前記ＡＣＫ信号または前記ＮＡＣＫ信号を前記基地局に送信するための手段と
を備える、ワイヤレス通信のための装置。
【請求項３５】
命令を格納するコンピュータ可読媒体を備える、ワイヤレス通信のためのコンピュータプログラム製品であって、前記命令が１つまたは複数のプロセッサにより実行可能であり、前記命令が、
基本シーケンスと１つまたは複数のセル特有のシーケンスとをネットワークから受信するための命令と、
少なくとも１つのシフト値をユーザー装置（ＵＥ）に割り当てるための命令と、
情報を前記ＵＥに送るための命令であって、前記情報が、前記基本シーケンスと、前記セル特有のシーケンスのうちの１つと前記シフト値とを備える、命令と、および
前記ＵＥから信号を受信するための命令であって、前記信号が、前記受信された情報に少なくとも基づいて生成される、命令と
を備える、コンピュータプログラム製品。
【請求項３６】
命令を格納するコンピュータ可読媒体を備える、ワイヤレス通信のためのコンピュータプログラム製品であって、前記命令が１つまたは複数のプロセッサにより実行可能であり、前記命令が、
少なくとも２つのシーケンスと１つまたは複数のシフト値とを基地局から受信するための命令と、
前記受信されたシーケンスと前記シフト値とに少なくとも基づいて、肯定応答（ＡＣＫ）信号または否定応答（ＮＡＣＫ）信号を生成するための命令であって、前記ＡＣＫ信号および前記ＮＡＣＫ信号が、コヒーレントな伝送モードにおいて異なる変調シンボルを利用し、または、非コヒーレントな伝送モードにおいて異なるシフト値を利用する、命令と、および
前記ＡＣＫ信号または前記ＮＡＣＫ信号を前記基地局に送信するための命令と
を備える、コンピュータプログラム製品。
【請求項３７】
少なくとも１つのプロセッサを備える、ワイヤレス通信のための装置であって、前記プロセッサが、
基本シーケンスと１つまたは複数のセル特有のシーケンスとをネットワークから受信し、
少なくとも１つのシフト値をユーザー装置（ＵＥ）に割り当て、
前記基本シーケンスと、前記セル特有のシーケンスのうちの１つと前記シフト値とを備える情報を、前記ＵＥに送り、および
前記受信された情報に少なくとも基づいて生成される信号を、前記ＵＥから受信する
ように構成される、装置。
【請求項３８】
少なくとも１つのプロセッサを備える、ワイヤレス通信のための装置であって、前記プロセッサが、
少なくとも２つのシーケンスと１つまたは複数のシフト値とを基地局から受信し、
前記受信されたシーケンスと前記シフト値とに少なくとも基づいて、肯定応答（ＡＣＫ）信号または否定応答（ＮＡＣＫ）信号を生成し、ここにおいて、前記ＡＣＫ信号および前記ＮＡＣＫ信号が、コヒーレントな伝送モードにおいて異なる変調シンボルを利用し、または、非コヒーレントな伝送モードにおいて異なるシフト値を利用し、および
前記ＡＣＫ信号または前記ＮＡＣＫ信号を前記基地局に送信する
ように構成される、装置。
【発明の詳細な説明】
【技術分野】
【０００１】
米国特許法第１１９条による優先権の主張
本特許出願は、２００９年７月２３日出願の「Ｉｎｔｅｒｆｅｒｅｎｃｅ  Ｓｕｐｐｒｅｓｓｉｏｎ  ｉｎ  Ｕｐｌｉｎｋ  Ａｃｋｎｏｗｌｅｄｇｅｍｅｎｔ」という表題の米国特許仮出願第６１／２２８１０７号の利益を主張するものであり、上記仮出願は、本出願の譲受人に譲渡され、ここで参照により本明細書に明示的に組み込まれる。
【０００２】
本開示は全般に通信に関し、より具体的には、ワイヤレス通信ネットワークのアップリンクチャネルにおける干渉の抑制に関する。
【背景技術】
【０００３】
第３世代パートナーシッププロジェクト（３ＧＰＰ）ロングタームエボリューション（ＬＴＥ）は、セルラー技術における大きな進歩を代表するものであり、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ（登録商標））とＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）との自然な進化として、セルラー３Ｇサービスにおける次の一歩となるものである。ＬＴＥは、最大毎秒５０メガビット（Ｍｂｐｓ）のアップリンク速度と最大１００Ｍｂｐｓのダウンリンク速度とを実現し、セルラーネットワークに多くの技術的な利益をもたらす。ＬＴＥは、高速なデータとメディアとの転送、ならびに大容量の音声のサポートという、キャリアの要求を満たすように設計されている。さらに、帯域幅は１．２５ＭＨｚから２０ＭＨｚまでの範囲でスケーラブルである。このことは、異なる帯域幅が割り当てられた異なるネットワーク事業者の要求を満たし、事業者が帯域によって異なるサービスを提供することも可能にする。ＬＴＥ規格は、３Ｇネットワークのスペクトル効率を改善することが期待されており、キャリアが与えられた帯域幅でより多くのデータサービスと音声サービスとを提供することを可能にする。ＬＴＥは、高速データサービスと、マルチメディアユニキャストサービスと、マルチメディアブロードキャストサービスとを包含する。
【０００４】
ＬＴＥ規格の物理層（ＬＴＥ  ＰＨＹ）は、改良された基地局（すなわちｅＮｏｄｅＢ）とモバイルユーザー装置（ＵＥ）との間でデータと制御情報の両方を搬送する、極めて効率的な手段である。ＬＴＥ  ＰＨＹは、セルラー用途には新しい先進技術を利用する。そうした技術には、直交周波数分割多重化（ＯＦＤＭ）および多入力多出力（ＭＩＭＯ）データ転送を含む。さらに、ＬＴＥ  ＰＨＹは、ダウンリンク（ＤＬ）上で直交周波数分割多重接続（ＯＦＤＭＡ）を使用し、アップリンク（ＵＬ）上でシングルキャリア周波数分割多重接続（ＳＣ−ＦＤＭＡ）を使用する。ＯＦＤＭＡは、ある特定の数のシンボル期間の間、サブキャリア毎に、データを複数のユーザーに送り、または複数のユーザーからデータを受け取ることを可能にする。
【０００５】
ＬＴＥ−Ａｄｖａｎｃｅｄは、第４世代（４Ｇ）のワイヤレスセルラーサービスを提供するための、発展型のモバイル通信規格である。ＬＴＥは、３Ｇ技術として定義されるため、１Ｇｂｉｔ／ｓに達するピークのデータ速度のような、４Ｇ（国際電気通信連合が定めるようにＩＭＴ  Ａｄｖａｎｃｅｄとも呼ばれる）の要件を満たさない。ピークのデータ速度以外に、ＬＴＥ  Ａｄｖａｎｃｅｄは、複数の出力状態の高速な切り替えと、セル端部での性能の改善とも目的とする。
【０００６】
最近では、マクロセルと、ピコセルと、フェムトセルとを伴う、異種ネットワークの設計が多くの関心を集めている。異種ネットワークにおけるアップリンク（ＵＬ）チャネル設計の大きな課題は、マクロ基地局からの強い干渉、ならびに近隣のピコ／フェムト基地局からの干渉を抑制することである。具体的には、ピコ／フェムト基地局がマイクロセル内で基地局と同じリソースを使用し、現在の規格の下で動作する場合、ピコ／フェムト局の肯定応答（ＡＣＫ）およびチャネル品質情報（ＣＱＩ）のようなアップリンクの制御信号が、マクロ基地局または他のピコ／フェムト基地局のアップリンクのＡＣＫ、ＣＱＩまたは物理アップリンク共有チャネル（ＰＵＳＣＨ）のリソースと衝突しうる。ターゲットのピコ／フェムト局は、干渉を打ち消すことができるように、干渉している基地局のユーザー割り当てとペイロードについての詳細な情報を必要とすることがある。しかし、このことは、フェムト基地局における大量のオーバーヘッドをもたらすことがあり、そうしたオーバーヘッドは実装が禁止されることがある。
【発明の概要】
【０００７】
本開示のある態様は、ワイヤレス通信のための方法を提供する。その方法は、一般に、基本シーケンスと１つまたは複数のセル特有のシーケンスとをネットワークから受信することと、少なくとも１つのシフト値をユーザー装置（ＵＥ）に割り当てることと、情報をＵＥに送ることであって、その情報が、基本シーケンスと、セル特有のシーケンスのうちの１つとシフト値とを備える、送ることと、ＵＥから信号を受信することであって、その信号が、受信された情報に少なくとも基づいて生成される、受信することとを含む。
【０００８】
本開示のある態様は、ワイヤレス通信のための方法を提供する。その方法は、一般に、少なくとも２つのシーケンスと１つまたは複数のシフト値とを基地局から受信することと、受信されたシーケンスとシフト値とに少なくとも基づいて、肯定応答（ＡＣＫ）または否定応答（ＮＡＣＫ）信号を生成することであって、ＡＣＫ信号およびＮＡＣＫ信号が、コヒーレント伝送モードにおいて異なる変調シンボルを利用し、または非コヒーレント伝送モードにおいて異なるシフト値を利用する、生成することと、ＡＣＫ信号またはＮＡＣＫ信号を基地局に送信することとを含む。
【０００９】
本開示のある態様は、ワイヤレス通信のための装置を提供する。その装置は、一般に、基本シーケンスと１つまたは複数のセル特有のシーケンスとをネットワークから受信するためのロジックと、少なくとも１つのシフト値をユーザー装置（ＵＥ）に割り当てるためのロジックと、情報をＵＥに送るためのロジックであって、その情報が、基本シーケンスと、セル特有のシーケンスのうちの１つとシフト値とを備えるロジックと、ＵＥから信号を受信するためのロジックであって、その信号が、受信された情報に少なくとも基づいて生成されるロジックとを含む。
【００１０】
本開示のある態様は、ワイヤレス通信のための装置を提供する。その装置は、一般に、少なくとも２つのシーケンスと１つまたは複数のシフト値とを基地局から受信するためのロジックと、受信されたシーケンスとシフト値とに少なくとも基づいて、肯定応答（ＡＣＫ）信号または否定応答（ＮＡＣＫ）信号を生成するためのロジックであって、ＡＣＫ信号およびＮＡＣＫ信号が、コヒーレント伝送モードにおいて異なる変調シンボルを利用し、または非コヒーレント伝送モードにおいて異なるシフト値を利用するロジックと、ＡＣＫ信号またはＮＡＣＫ信号を基地局に送信するためのロジックとを含む。
【００１１】
本開示のある態様は、ワイヤレス通信のための装置を提供する。その装置は、一般に、基本シーケンスと１つまたは複数のセル特有のシーケンスとをネットワークから受信するための手段と、少なくとも１つのシフト値をユーザー装置（ＵＥ）に割り当てるための手段と、情報をＵＥに送るための手段であって、その情報が、基本シーケンスと、セル特有のシーケンスのうちの１つとシフト値とを備える手段と、ＵＥから信号を受信するための手段であって、その信号が、受信された情報に少なくとも基づいて生成される手段とを含む。
【００１２】
本開示のある態様は、ワイヤレス通信のための装置を提供する。その装置は、一般に、少なくとも２つのシーケンスと１つまたは複数のシフト値とを基地局から受信するための手段と、受信されたシーケンスとシフト値とに少なくとも基づいて、肯定応答（ＡＣＫ）信号または否定応答（ＮＡＣＫ）信号を生成するための手段であって、ＡＣＫ信号およびＮＡＣＫ信号が、コヒーレント伝送モードにおいて異なる変調シンボルを利用し、または非コヒーレント伝送モードにおいて異なるシフト値を利用する手段と、ＡＣＫ信号またはＮＡＣＫ信号を基地局に送信するための手段とを含む。
【００１３】
ある態様は、ワイヤレス通信のためのコンピュータプログラム製品を提供し、そのコンピュータプログラム製品は命令を格納するコンピュータ可読媒体を備え、その命令は１つまたは複数のプロセッサにより実行可能である。その命令は、一般に、基本シーケンスと１つまたは複数のセル特有のシーケンスとをネットワークから受信するための命令と、少なくとも１つのシフト値をユーザー装置（ＵＥ）に割り当てるための命令と、情報をＵＥに送るための命令であって、その情報が、基本シーケンスと、セル特有のシーケンスのうちの１つとシフト値とを備える命令と、ＵＥから信号を受信するための命令であって、その信号が、受信された情報に少なくとも基づいて生成される命令とを含む。
【００１４】
ある態様は、ワイヤレス通信のためのコンピュータプログラム製品を提供し、そのコンピュータプログラム製品は命令を格納するコンピュータ可読媒体を備え、その命令は１つまたは複数のプロセッサにより実行可能である。その命令は、一般に、少なくとも２つのシーケンスと１つまたは複数のシフト値とを基地局から受信するための命令と、受信されたシーケンスとシフト値とに少なくとも基づいて、肯定応答（ＡＣＫ）信号または否定応答（ＮＡＣＫ）信号を生成するための命令であって、ＡＣＫ信号およびＮＡＣＫ信号が、コヒーレント伝送モードにおいて異なる変調シンボルを利用し、または非コヒーレント伝送モードにおいて異なるシフト値を利用する命令と、ＡＣＫ信号またはＮＡＣＫ信号を基地局に送信するための命令とを含む。
【００１５】
本開示のある態様は、ワイヤレス通信のための装置を提供する。その装置は、一般に少なくとも１つのプロセッサを含み、そのプロセッサは、基本シーケンスと１つまたは複数のセル特有のシーケンスとをネットワークから受信し、少なくとも１つのシフト値をユーザー装置（ＵＥ）に割り当て、基本シーケンスと、セル特有のシーケンスのうちの１つとシフト値とを備える情報をＵＥに送り、受信された情報に少なくとも基づいて生成される信号を、ＵＥから受信するように構成される。
【００１６】
本開示のある態様は、ワイヤレス通信のための装置を提供する。その装置は、一般に少なくとも１つのプロセッサを含み、そのプロセッサは、少なくとも２つのシーケンスと１つまたは複数のシフト値とを基地局から受信し、受信されたシーケンスとシフト値とに少なくとも基づいて、肯定応答（ＡＣＫ）信号または否定応答（ＮＡＣＫ）信号を生成し、このときＡＣＫおよびＮＡＣＫ信号が、コヒーレント伝送モードにおいて異なる変調シンボルを利用し、または非コヒーレント伝送モードにおいて異なるシフト値を利用し、そして、ＡＣＫ信号またはＮＡＣＫ信号を基地局に送信するように構成される。
【００１７】
本開示の上で記載された特徴を詳細に理解することができるように、上で簡単に要約されたより具体的な説明を、複数の態様を参照することで理解することができ、その態様のいくつかが添付の図面で例示される。しかし、説明は他の等価で効果のある態様を許容しうるので、添付の図面は本開示のある典型的な態様を例示するに過ぎず、したがって、本開示の範囲を限定するものと考えるべきではないことに留意されたい。
【図面の簡単な説明】
【００１８】
【図１】本開示のある態様による、通常のサイクリックプレフィックス（ＣＰ）を用いた、ピコ／フェムトセルでの非コヒーレントなアップリンク肯定応答の送信のための、フレーム構造を示す図。
【図２】本開示のある態様による、通常のＣＰを用いた、ピコ／フェムトセルでのコヒーレントなアップリンク肯定応答の送信のための、フレーム構造を示す図。
【図３】本開示のある態様による、コヒーレントな構造と非コヒーレントな構造との性能の比較を示す図。
【図４】本開示のある態様による、アップリンク制御チャネルにおいて信号を構成および受信するための、基地局により実行されうる例示的な操作を示す図。
【図４Ａ】図４に示される操作を実行することができる、例示的なコンポーネントを示す図。
【図５】本開示のある態様による、アップリンク制御チャネルにおいて信号を送信するための、ユーザー装置により実行されうる例示的な操作を示す図。
【図５Ａ】図５に示される操作を実行することができる、例示的なコンポーネントを示す図。
【図６】本開示のある態様による、複数のユーザーをサポートするように構成されるワイヤレス通信システムの図。
【図７】本開示のある態様による、マクロセルと、フェムトセルと、ピコセルとを備えるワイヤレス通信システムの図。
【図８】本開示のある態様による、１つまたは複数のフェムトノードがネットワーク環境内に配置される、通信システムの図。
【図９】本開示のある態様による、いくつかのトラッキングエリア、ルーティングエリアまたはロケーションエリアが定義される、カバレッジマップの図。
【図１０】本開示のある態様による、多重接続のワイヤレス通信システムの図。
【図１１】本開示のある態様による、多入力多出力（ＭＩＭＯ）の通信システムの概要を示す図。
【発明を実施するための形態】
【００１９】
ここで、様々な態様が図面を参照して説明される。以下の記述では、説明のために、１つまたは態様の全体的な理解をもたらすように多くの具体的な詳細が述べられる。しかし、様々な態様をこれらの具体的な詳細を伴わずに実施できることは明白でありうる。別の例では、これらの態様の説明を容易にするために、よく知られた構造とデバイスとがブロック図の形で示される。
【００２０】
本開示のある態様は、ピコ／フェムト基地局のための、干渉の抑制を大幅に改善する、非コヒーレントなおよびコヒーレントなピコ／フェムトアップリンク肯定応答（ＡＣＫ）チャネルの設計を提案する。提案される設計は、コンピュータで生成されたシーケンス（ＣＧＳ）と離散フーリエ変換（ＤＦＴ）拡散とを用いて、ＡＣＫチャネルのためのピコ／フェムトセル間を２段階で分離する。こうして、ＡＣＫチャネルを、最小限の干渉で異なるフェムト／ピコ基地局にわたって多重化することができる。提案される方式は、マイクロセル内の基地局向けの従来の規格と適合し、マクロセルに対しては何ら変化を与えない。
【００２１】
ピコ／フェムト基地局が、マクロ基地局の現在の仕様にそのまま従うとすると、アップリンク制御信号（例えば、ＡＣＫおよびチャネル品質情報（ＣＱＩ））は、マクロ基地局または他のピコ／フェムト基地局のアップリンクのＡＣＫ、ＣＱＩまたは物理アップリンク共有チャネル（ＰＵＳＣＨ）リソースと衝突するであろう。その結果、ターゲットのピコ／フェムト基地局は、干渉を打ち消すことができるように、ユーザー割り当ておよびペイロードのような、干渉している基地局に関する詳細な情報を必要とする。しかし、このことは、フェムト基地局における大量のオーバーヘッドをもたらすことがあり、そうしたオーバーヘッドは実装が禁止されることがある。
【００２２】
本開示のある態様は、ピコ／フェムトセルのための、非コヒーレントなアップリンク（ＵＬ）ＡＣＫチャネルの設計を提供する。提案される設計は後方互換性があり、マクロセルは、何ら変化を加えることなく従来のチャネル構造を使い続けることができる。提案される非コヒーレントなＡＣＫチャネル構造は、マクロセルと比較するとピコ／フェムトセルのセルサイズが小さいこと、さらに、ピコ／フェムトセルにおいてはＵＥの移動量が少ないことを利用して、干渉の管理を支援する。
【００２３】
本開示のある態様では、ＡＣＫ送信のための非コヒーレントなフレーム構造が以下のように設計されうる。まず、基本シーケンスとＤＦＴシーケンスとが、自身のセル識別子（ＩＤ）またはグローバルＩＤに従って、各ピコ／フェムト基地局に割り当てられうる。したがって、ピコ／フェムトセルの間の干渉に対して、２段階の保護が存在する。異なるセルは、第１段階の保護として、相互の相関が小さい異なる基本シーケンスを使用する。例えば、１２個のサブキャリアに対して全体で３０個の基本シーケンスが存在しうる。
【００２４】
ある態様では、干渉に対する第２段階の保護は、ＤＦＴシーケンスでありうる。ＤＦＴ行列の異なる列は、異なるピコ／フェムトセルのためのＤＦＴシーケンスとして使用されうる。例えば、ＬＴＥ規格におけるＤＦＴ行列は、通常のサイクリックプレフィックス（ＣＰ）が使用される場合には７つの列を有し、拡張されたＣＰが使用される場合には６つの列を有する。したがって、ＤＦＴの列は、通常のＣＰまたは拡張されたＣＰでは、７つまたは６つのピコ／フェムトセルにそれぞれ割り当てられうる。セル内のピコ基地局またはフェムト基地局と通信するＵＥは通常低速で動作するので、異なるＤＦＴの列の間の直交性を維持することができる。したがって、他のピコ／フェムトセルにより発生する全ての干渉を抑制することができる。
【００２５】
ある態様では、基地局と通信する複数のＵＥは、共通の基本シーケンスの異なるシフトによって分離されうる。したがって、２つ以上の異なるシフトが、各ＵＥに割り当てられうる。例えば、単一入力単一出力（ＳＩＳＯ）の場合、２つのシフト値を１つのＵＥに割り当てることができ、１つのシフト値をＡＣＫ送信に割り当てることができ、他のシフト値をＮＡＣＫ送信に割り当てることができる。多入力多出力（ＭＩＭＯ）の場合、２×ｎ個のシフト値を各ＵＥに割り当てることができ、ここでｎはＵＥと基地局との間のチャネルの数である。
【００２６】
チャネルの種類に応じて、シフトされた複数の基本シーケンスは、ある数のサブキャリアによって直交するように分離されなければならない。例えば、ＬＴＥ規格では、シフトされた複数の基本シーケンスは、通常のＣＰでは１つのサブキャリアによって分離され、拡張されたＣＰでは２つのサブキャリアによって分離されうる。したがって、１２個のサブキャリアを有するリソースブロック（ＲＢ）について、通常のＣＰでは同時に３つのＵＥに割り当てられうる、共通の基本シーケンスがシフトされた６つの異なるシーケンスが利用可能であってよい。拡張されたＣＰでは、２つのＵＥに割り当てられうる４つの異なるシフトされた基本シーケンスが利用可能でありうる。
【００２７】
コヒーレントな方式と異なり、非コヒーレントな方式ではパイロット信号が送信されないので、受信機ではチャネル条件が分からない。ある態様では、エネルギー検知技術を用いて、受信機においてＡＣＫ信号とＮＡＣＫ信号とを区別することができる。２つの異なるシフトされた基本シーケンスを利用して生成される２つの信号（例えばＡＣＫおよびＮＡＣＫ）は直交するので、送信される信号は、ピーク以外はほぼ０となるようなピークを生成する。
【００２８】
ある態様では、３状態のエネルギー検知方式を用いて、ＡＣＫ、ＮＡＣＫ、または非連続送信（ＤＴＸ）信号を検出することができる。そうするために、第１のエネルギー値と第２のエネルギー値とを、受信した信号に２つのシフトされた基本シーケンスを掛けることによって求めることができ、それらのエネルギー値のうちの１つがＡＣＫ信号に対応し、もう一方がＮＡＣＫ信号に対応する。ノイズの変化を、２つのエネルギー値のうちの小さい方を選択することで求めることができる。第１のエネルギー値と第２のエネルギー値の比は、閾値と比較されうる。閾値は、ノイズの変化に応じて選択されうる。
【００２９】
比が閾値よりも低く、閾値の逆数よりも大きい場合、ＤＴＸであると判断することができる。そうではなく、比が閾値よりも大きく、第１のエネルギー値が第２のエネルギー値よりも大きい場合、ＡＣＫであると判断することができる。比が閾値の逆数よりも小さく、第２のエネルギー値が第１のエネルギー値よりも大きい場合、ＮＡＣＫであると判断することができ、逆もまた同様である。
【００３０】
ある態様では、必要な場合には、ピコ／フェムトセルの負荷に応じて、ＤＦＴシーケンスを動的にピコ／フェムトセルに割り当て、セルのユーザー容量を増やすことができる。したがって、２つ以上のＤＦＴシーケンスを高負荷のピコ／フェムトセルに割り当て、サポートされるＵＥの数を増やすことができる。例えば、１つのＤＦＴシーケンスを、最大３つのＵＥをサポートするピコ／フェムトセルに割り当てることができ、２つのＤＦＴシーケンスを最大６人のユーザーをサポートするピコ／フェムトセルに割り当てることができ、以下同様である。
【００３１】
ある態様では、干渉の抑制のための提案される２段階の復号を、ピコ／フェムト基地局のためのコヒーレントなＵＬ制御方式に適用することができる。具体的には、基本シーケンスの分離に加えて、従来のセル内干渉管理の代わりのセル間干渉管理のために、ＤＦＴ／直交符号を異なるピコ／フェムトセルに割り当てることができる。ＬＴＥ規格におけるこの修正により、各セルは、通常のＣＰではＲＢ当たり最大６つのＵＥをサポートすることができる。
【００３２】
コヒーレントな方式では参照信号（すなわちパイロット）の送信を行うので、チャネルのパラメータは参照信号を用いて推定されうる。したがって、チャネルの位相が参照信号を処理することで既知となるので、コヒーレントな方式でＡＣＫ／ＮＡＣＫメッセージを送信するには、ＵＥ当たり１つだけのシフトされた基本シーケンスで十分でありうる。３列のＤＦＴ行列では、完全なセルの分離を３つのピコ／フェムトセルの間で実現することができ、これらのセルの各々はＤＦＴ行列の異なる列を用いる。
【００３３】
各セルのユーザー容量と干渉の抑制の間にはトレードオフの関係がある。コヒーレントな構造と非コヒーレントな構造とに対しては、ユーザー容量とセルの直交性の間にトレードオフの関係がある。非コヒーレントな構造は、コヒーレントな構造よりも各ピコ／フェムトセルのユーザー容量が小さいが（３対６）、より多くのセル（すなわち７つのセル対３つのセル）が、事実上直交するチャネルを有する同一のリソースを利用して、同時に送信することができる。
【００３４】
図１は、本開示のある態様による、通常のＣＰを用いた、ピコ／フェムトセルにおける非コヒーレントなアップリンク肯定応答の送信ための、フレーム構造１００を示す。示されるように、データ１０４および他の信号１０６が、異なるサブキャリアを介していくつかのフレームで送信される。異なる基本シーケンスは、セル間分離のために、異なるピコ／フェムトセルに割り当てられうる（すなわち、異なるピコ／フェムトセルの属する信号を分離する）。共通の基本シーケンスをシフトしたものが、セル内分離のために、異なるフレームに対して適用されうる（すなわち、各ピコ／フェムトセル内の複数のＵＥの分離）。さらに、基本シーケンスの２つの異なるシフトを、データの送信に使用されうる各ＵＥ（例えばＵＥ１  １０６、ＵＥ２  １０８、およびＵＥ３  １１０）に割り当てることができる。７×７のＤＦＴ行列を利用して、７つの異なるセルで送信される信号を分離することができる。ＤＦＴ行列の各列は、異なるピコ／フェムトセルに割り当てられうる。
【００３５】
図２は、本開示のある態様による、通常のＣＰを用いた、ピコ／フェムトセルにおけるコヒーレントなアップリンク肯定応答の送信ための、フレーム構造２００を示す。示されるように、参照信号（ＲＳ）２０２、データ２０４、および他の信号２０６が、異なるサブキャリアを介していくつかのフレームで送信される。参照信号を受信機において使用し、チャネルのパラメータを推定する。３×３のＤＦＴ行列を利用して、３つの異なるセルで送信される参照信号を分離することができる。ＤＦＴ行列の各列は、参照信号の送信のために、異なるピコ／フェムトセルに割り当てられうる。さらに、セル間での分離のために、サイズが２または４の直交符号が利用されうる。
【００３６】
図３において、プロット３００は、コヒーレントな構造３０２と非コヒーレントな構造３０４での、２段階の復号を伴う提案されるＡＣＫチャネル設計の性能の結果を示す。コヒーレントな構造は、セル当たり３つのセルと６つのＵＥとをサポートする。非コヒーレントな構造は、セル当たり７つのセルと３つのＵＥとをサポートする。非コヒーレントな方式はコヒーレントな方式よりもやや性能が劣ることが観測されうる。しかし、非コヒーレントな構造は、コヒーレントな構造と比較してユーザー容量が大きい（２１対１８）。
【００３７】
ピコセルおよびフェムトセルでは、通常ＵＥの移動量は少ないとされる。例えば、ピコセルは、部屋または別の小さな空間に置かれた、または人が携帯しもしくは車両内に置かれて一緒に移動する、ワイヤレスコンポーネントの統合システムを伴いうる。別の例として、フェムトセルは、長時間ある施設の中で働く、またはその中にいる人のために、その施設の中で使用され、屋外でのマクロカバレッジを拡大すること、または非公開の加入者システムの有利な課金体系を利用することができる。ピコ／フェムトセル内での移動量が少ないことを考えると、本開示は、これらのセルのＡＣＫチャネル間のほぼ完全な分離を可能にする。
【００３８】
図４は、本開示のある態様による、基地局により実行されうる、アップリンク制御チャネルにおいて信号を構成および受信するための例示的な操作を示す。４０２において、ピコ／フェムトセル内の基地局は、基本シーケンスとセル特有のシーケンスとをネットワークから受信する。基本シーケンスは、コンピュータにより生成されたシーケンスであってよく、セル特有のシーケンスは、ＤＦＴ行列のようなある直交行列のある列であってよい。４０４において、基地局は、ユーザー装置（ＵＥ）に、コヒーレントな送信のために少なくとも１つのシフト値を割り当て、または非コヒーレントな送信のために少なくとも２つのシフト値を割り当てる。
【００３９】
４０６において、基地局は情報をＵＥに送り、その情報は、基本シーケンスと、セル特有のシーケンスと、シフト値とを含む。ＵＥは、シフト値のうちの１つを用いてＡＣＫ信号を生成し、別のシフト値を用いてＮＡＣＫ信号を生成する。４０８において、基地局はＵＥから信号を受信し、その信号は、少なくとも受信された情報に基づいて生成される。４１０において、基地局は、受信された信号がＡＣＫ信号であるかＮＡＣＫ信号であるかを、非コヒーレントな伝送モードでのエネルギー検知方式によって判定することができる。
【００４０】
図５は、本開示のある態様による、ユーザー装置により実行されうる、アップリンク制御チャネルにおいて信号を送信するための例示的な操作を示す。５０２において、ＵＥは少なくとも２つのシーケンスと１つまたは複数のシフト値とを、基地局から受信する。２つのシーケンスは、基本シーケンスとＤＦＴシーケンスとを含みうる。５０４において、ＵＥは肯定応答（ＡＣＫ）信号または否定応答（ＮＡＣＫ）信号を、少なくとも受信されたシーケンスとシフト値とに基づいて生成し、ＡＣＫ信号およびＮＡＣＫ信号は、コヒーレントな伝送モードでは異なる変調シンボルを利用し、または非コヒーレントな伝送モードでは異なるシフト値を利用する。５０６において、ＵＥはＡＣＫ信号またはＮＡＣＫ信号を基地局に送信する。
【００４１】
本開示は、ＡＣＫ信号とＮＡＣＫ信号の干渉を抑制するための２段階の分離を説明するが、上記の方式は、本開示の範囲から逸脱することなく、別の信号に適用することができることに留意されたい。
【００４２】
ある態様では、動的なＡＣＫリソースの割り当てがフェムトセルに実装されうる。したがって、２つ以上のＤＦＴシーケンスが各フェムト基地局に割り当てられ、フェムトセルのユーザー容量を増やすことができる。
【００４３】
提案される方式が、干渉の打ち消しのために近隣のマクロセルで送信される信号を監視する必要がないことを考えると、ピコ／フェムト基地局の受信機の複雑さが低減されうる。
【００４４】
別の態様では、ピコ／フェムト基地局とマクロ基地局との間の干渉の管理が、ピコ／フェムト基地局とマクロ基地局との間の周波数分割多重化（ＦＤＭ）と、提案されるＣＧＳシーケンスの分離および干渉の打ち消しとのいずれかによって、実行されうる。
【００４５】
いくつかの態様では、本明細書の教示は、マクロカバレッジを含むネットワーク（例えば、通常はマクロセルネットワークと呼ばれる、３Ｇ（第３世代）ネットワークのような広範囲のセルラーネットワーク）と、より小規模なカバレッジ（例えば、住宅ベースまたは建物ベースのネットワーク環境）とを含む、ネットワークで使用されうる。アクセス端末（「ＡＴ」）はそのようなネットワーク全体を移動するので、アクセス端末は、ある場所ではマクロカバレッジを提供するアクセスノード（「ＡＮ」）によってサーブされうるが、別の場所では小規模なカバレッジを提供するアクセスノードによってサーブされうる。いくつかの態様では、小規模なカバレッジのノードを用いて、さらなる容量の増加、建物内でのカバレッジ、異なるサービス（例えば、より安定したユーザー体験のための）を提供することができる。
【００４６】
本明細書での議論において、比較的広範囲のカバレッジを提供するノードは、マクロノードと呼ばれうる。比較的狭い範囲（例えば住宅）のカバレッジを提供するノードは、フェムトノードと呼ばれうる。マクロエリアよりも狭くフェムトセルよりも広いエリアにわたるカバレッジを提供するノードは、ピコノードと呼ばれうる（例えば、商業ビル内でのカバレッジを提供する）。
【００４７】
マクロノード、フェムトノード、またはピコノードと関連するセルは、マクロセル、フェムトセル、またはピコセルとそれぞれ呼ばれうる。いくつかの実装形態では、各セルはさらに、１つまたは複数のセクタと関連（またはセクタに分割）されうる。
【００４８】
様々な用途において、マクロノード、フェムトノード、またはピコノードを指すのに別の用語が用いられることがある。例えば、マクロノードは、アクセスノード、基地局、アクセスポイント、ｅＮｏｄｅＢ、マクロセルなどとして構成されることがあり、または呼ばれることがある。また、フェムトセルは、Ｈｏｍｅ  ＮｏｄｅＢ、Ｈｏｍｅ  ｅＮｏｄｅＢ、アクセスポイント基地局、フェムトセルなどとして構成されることがあり、または呼ばれることがある。
【００４９】
図６は、複数のユーザーをサポートするように構成されたワイヤレス通信システム６００を示し、このシステムに本明細書の教示を実装することができる。システム６００は、例えばマクロセル６０２ａ〜６０２ｇのような複数のセル６０２のための通信を提供し、各セルは対応するアクセスノード６０４（例えばアクセスノード６０４ａ〜６０４ｇ）によりサーブされうる。図６に示されるように、アクセス端末６０６（例えばアクセス端末６０６ａ〜６０６ｌ）は、時間をかけてシステム全体の様々な場所に分散しうる。各アクセス端末６０６は、例えばアクセス端末６０６がアクティブな状態であるか、およびソフトハンドオフの状態であるかに応じて、ある所与の時点で、順方向リンク（「ＦＬ」）および／または逆方向リンク（「ＲＬ」）を介して１つまたは複数のアクセスノード６０４と通信することができる。ワイヤレス通信システム６００は、広い地理的な領域にわたってサービスを提供することができる。例えば、マクロセル６０２ａ〜６０２ｇは、近隣の数ブロックをカバーすることができる。
【００５０】
図７に示す例では、基地局７１０ａ、７１０ｂ、および７１０ｃは、それぞれマクロセル７０２ａ、７０２ｂ、および７０２ｃのためのマクロ基地局でありうる。基地局７１０ｘは、端末７２０ｘと通信するピコセル７０２ｘのためのピコ基地局でありうる。基地局７１０ｙは、端末７２０ｙと通信するフェムトセル７０２ｙのためのフェムト基地局でありうる。簡単にするために図７には示されていないが、マクロセルは端部において重なり合うことがある。ピコセルおよびフェムトセルは、（図７に示されるように）マクロセルの中に位置していてもよく、またはマクロセルおよび／もしくは他のセルと重なり合っていてもよい。
【００５１】
ワイヤレスネットワーク７００はまた、中継局、例えば端末７２０ｚと通信する中継局７１０ｚを含んでもよい。中継局は、上流の局からのデータおよび／または他の情報の伝送を受信し、下流の局にデータおよび／または他の情報の伝送を送る、局である。上流の局は、基地局、別の中継局または端末でありうる。下流の局は、端末、別の中継局または基地局でありうる。中継局はまた、他の端末に向けた伝送を中継する端末でもありうる。中継局は、再利用の程度の低いプリアンブルを送信および／または受信することができる。例えば、中継局は、ピコ基地局と同様の方法で、再利用の程度の低いプリアンブルを送信することができ、端末と同様の方法で、再利用の程度の低いプリアンブルを受信することができる。
【００５２】
ネットワークコントローラ７３０は、基地局のセットと対になり、これらの基地局のための調整と制御とを行うことができる。ネットワークコントローラ７３０は、単一のネットワークエンティティであってもよく、またはネットワークエンティティの集合体であってもよい。ネットワークコントローラ７３０は、バックホールを介して基地局７１０と通信することができる。バックホールネットワーク通信７３４は、そのような分散型のアーキテクチャを利用する基地局７１０ａ〜７１０ｃの間の２地点間通信を容易にすることができる。基地局７１０ａ〜７１０ｃはまた、例えばワイヤレスまたは有線のバックホールを介して直接または間接的に、互いに通信することもできる。
【００５３】
ワイヤレスネットワーク７００は、マクロ基地局（図７には示されない）のみを含む、同種ネットワークでありうる。ワイヤレスネットワーク７００はまた、異なる種類の基地局、例えばマクロ基地局、ピコ基地局、ホーム基地局、中継局などを含む、異種ネットワークであってもよい。これらの異なる種類の基地局は、異なる送信出力レベルと、異なるカバレッジエリアと、ワイヤレスネットワーク７００における干渉への異なる影響とを有しうる。例えば、マクロ基地局は大きな送信出力レベル（例えば２０ワット）を有しうるが、ピコ基地局およびフェムト基地局は、小さな送信出力レベル（例えば９ワット）を有しうる。本明細書で説明される技術は、同種ネットワークおよび異種ネットワークに使用されうる。
【００５４】
端末７２０は、ワイヤレスネットワーク７００全体に分散していてもよく、各端末は固定されていても移動してもよい。端末はまた、アクセス端末（ＡＴ）、移動局（ＭＳ）、ユーザー装置（ＵＥ）、加入者ユニット、局などとも呼ばれうる。端末は、携帯電話、携帯情報端末（ＰＤＡ）、ワイヤレスモデム、ワイヤレス通信デバイス、手持ち用デバイス、ラップトップコンピュータ、コードレス電話、ワイヤレスローカルループ（ＷＬＬ）局などであってよい。端末は、ダウンリンクとアップリンクとを介して、基地局と通信することができる。ダウンリンク（または順方向リンク）は、基地局から端末への通信リンクを指し、アップリンク（または逆方向リンク）は、端末から基地局への通信リンクを指す。
【００５５】
端末は、マクロ基地局、ピコ基地局、フェムト基地局、および／または他の種類の基地局と通信することができてもよい。図７では、両側に矢印のある実線は、端末とサービング基地局との間の所望の伝送を示し、サービング基地局はダウンリンクおよび／またはアップリンクで端末をサーブするように指定される基地局である。両側に矢印のある点線は、端末と基地局との間の干渉している伝送を示す。干渉している基地局は、ダウンリンクで端末に干渉を引き起こす、かつ／またはアップリンクで端末からの干渉を受ける基地局である。
【００５６】
ワイヤレスネットワーク７００は、同期動作または非同期動作をサポートすることができる。同期動作では、複数の基地局が同一のフレームタイミングを有し、異なる基地局からの送信を時間的に揃えることができる。非同期動作では、複数の基地局は異なるフレームタイミングを有し、異なる基地局からの送信を時間的に揃えることができない。非同期動作は、ピコ基地局およびフェムト基地局ではより一般的であることがあり、ピコ基地局およびフェムト基地局は屋内に配備することができ、全地球測位システム（ＧＰＳ）のような同期先の情報源へのアクセスを有さないことがある。
【００５７】
一態様では、システムの容量を向上させるために、それぞれの基地局７１０ａ〜７１０ｃに対応するカバレッジエリア７０２ａ、７０２ｂ、または７０２ｃが、複数のより小さなエリア（例えばエリア７０４ａ、７０４ｂ、および７０４ｃ）に分割されうる。各々のより小さなエリアの７０４ａ、７０４ｂ、および７０４ｃは、それぞれのベーストランシーバサブシステム（ＢＴＳ、図示せず）によりサーブされうる。本明細書および当技術分野で一般に用いられるように、用語「セクタ」は、その用語が用いられる文脈に応じて、ＢＴＳおよび／またはＢＴＳのカバレッジエリアを指しうる。一例では、セル７０２ａ、７０２ｂ、７０２ｃの中のセクタ７０４ａ、７０４ｂ、７０４ｃは、基地局７１０におけるアンテナのグループ（図示せず）によって形成することができ、基地局７１０では、アンテナの各グループは、セル７０２ａ、７０２ｂまたは７０２ｃの一部において端末７２０と通信する役割を果たす。例えば、セル７０２ａをサーブする基地局７１０は、セクタ７０４ａに対応する第１のアンテナグループ、セクタ７０４ｂに対応する第２のアンテナグループ、およびセクタ７０４ｃに対応する第３のアンテナグループを有してもよい。しかし、本明細書で開示される様々な態様は、セクタ化されたセルおよび／またはセクタ化されていないセルを有するシステムで用いることができることを理解されたい。さらに、任意の数のセクタ化されたセルおよび／またはセクタ化されていないセルを有する、全ての適切なワイヤレス通信ネットワークが、本明細書に添付される特許請求の範囲の中にあることが意図されることを理解されたい。簡単にするために、本明細書で用いられる用語「基地局」は、セクタをサーブする局と、セルをサーブする局との両方を指しうる。本明細書で用いられるように、リンクが成立していない状況のダウンリンクセクタは、近隣のセクタであることを理解されたい。簡単にするために、以下の説明は全般に、各端末が１つのサービングアクセスポイントと通信するシステムに関するが、端末は任意の数のサービングアクセスポイントと通信することができることを理解されたい。
【００５８】
図８は、１つまたは複数のフェムトノードがネットワーク環境内に配備される、例示的な通信システム８００を示す。具体的には、システム８００は、比較的小規模なネットワーク環境（例えば、１つまたは複数のユーザーの住宅８３０の中）に設置される、複数のフェムトノード８１０（例えばフェムトノード８１０ａおよび８１０ｂ）を含む。各フェムトノード８１０は、ＤＳＬルータ、ケーブルモデム、ワイヤレスリンク、または他の接続手段（図示せず）を介して、ワイドエリアネットワーク８４０（例えばインターネット）とモバイル事業者の基幹ネットワーク８５０とに結合されうる。以下で議論されるように、各フェムトノード８１０は、関連するアクセス端末８２０（例えばアクセス端末８２０ａ）をサーブするように、かつ任意選択で、関連しないアクセス端末８２０（例えばアクセス端末８２０ｂ）をサーブするように構成されうる。言い換えると、フェムトノード８１０へのアクセスは制限されうるので、所与のアクセス端末８２０を、指定された（例えばホーム）フェムトノード（複数可）８１０のセットはサーブすることができるが、指定されないフェムトノード８１０（例えば近隣のフェムトノード８１０）はいずれもサーブすることができない。
【００５９】
図９は、いくつかのトラッキングエリア９０２（またはルーティングエリアまたはロケーションエリア）が定義され、そのそれぞれがいくつかのマクロカバレッジエリア９０４を含む、カバレッジマップ９００の例を示す。ここで、トラッキングエリア９０２ａ、９０２ｂおよび９０２ｃと関連するカバレッジのエリアは太線で示され、マクロカバレッジエリア９０４は六角形で表される。トラッキングエリア９０２はまた、フェムトカバレッジエリア９０６も含む。この例では、フェムトカバレッジエリア９０６の各々（例えばフェムトカバレッジエリア９０６ｃ）は、マクロカバレッジエリア９０４（例えばマクロカバレッジエリア９０４ｂ）内に示される。しかし、フェムトカバレッジエリア９０６は、全てがマクロカバレッジエリア９０４の中にはなくてもよいことを理解されたい。実際には、多くのフェムトカバレッジエリア９０６が、所与のトラッキングエリア９０２またはマクロカバレッジエリア９０４の中に定義されうる。また、１つまたは複数のピコカバレッジエリア（図示せず）が、所与のトラッキングエリア９０２またはマクロカバレッジエリア９０４の中に定義されうる。
【００６０】
再び図８を参照すると、フェムトノード８１０の所有者は、モバイル事業者の基幹ネットワーク８５０を通じて提供される、例えば３Ｇモバイルサービスのようなモバイルサービスに加入することができる。さらに、アクセス端末８２０は、マクロ環境の中と小規模な（例えば住宅）ネットワーク環境の両方で動作することができてもよい。言い換えると、アクセス端末８２０の現在の場所に応じて、アクセス端末８２０は、マクロセルモバイルネットワーク８５０のアクセスノード８６０によってサーブされることもあり、またはフェムトノード８１０のセット（例えば、対応するユーザーの住宅８３０の中にあるフェムトノード８１０ａおよび８１０ｂ）のうちのいずれか１つによってサーブされることもある。例えば、加入者が自宅の外にいる場合、加入者は標準的なマクロアクセスノード（例えばノード８６０）によりサーブされ、加入者が自宅にいる場合、加入者はフェムトノード（例えばノード８１０ａ）によりサーブされる。ここで、フェムトノード８１０は、既存のアクセス端末８２０と後方互換性がありうることを理解されたい。
【００６１】
フェムトノード８１０は単一の周波数で展開されてもよく、あるいは、複数の周波数で展開されてもよい。具体的な構成に応じて、その単一の周波数または複数の周波数の１つまたは複数は、マクロノード（例えばノード８６０）が使用する１つまたは複数の周波数と重複してもよい。
【００６２】
いくつかの態様では、アクセス端末８２０は、接続が可能な場合にはいつでも、好適なフェムトノード（例えばアクセス端末８２０のホームフェムトノード）に接続するように構成されうる。例えば、アクセス端末８２０がユーザーの住宅８３０の中にあるときはいつでも、アクセス端末８２０がホームフェムトノード８１０とのみ通信することが望ましいことがある。
【００６３】
いくつかの態様では、アクセス端末８２０がマクロセルラーネットワーク８５０の中で動作するが最も好適なネットワーク（例えば好ましいローミングリストで定義されるような）に存在しない場合、アクセス端末８２０は、Ｂｅｔｔｅｒ  Ｓｙｓｔｅｍ  Ｒｅｓｅｌｅｃｔｉｏｎ（「ＢＳＲ」）を用いて、最も好ましいネットワーク（例えば好ましいフェムトノード８１０）の検索を続けてもよい。このことは、より良いシステムが現在利用可能であるかどうかを判定するために、利用可能なシステムを定期的に検索することと、そのような好ましいシステムと関わるためのそれに続く作業とを含みうる。取得エントリーにより、アクセス端末８２０は、特定の帯域とチャネルとに対する検索を制限してもよい。例えば、最も好ましいシステムの検索は、周期的に繰り返されてもよい。好ましいフェムトノード８１０を発見すると、アクセス端末８２０は、そのカバレッジエリアの中にとどまるためにフェムトノード８１０を選択する。
【００６４】
いくつかの態様では、フェムトノードは制限されうる。例えば、所与のフェムトノードは、特定のアクセス端末には特定のサービスしか提供することができない。いわゆる制限された（または非公開の）接続を配備する場合、所与のアクセス端末は、マクロセルモバイルネットワークと、フェムトノードの定義されたセット（例えば、対応するユーザーの住宅８３０の中にあるフェムトノード８１０）とによってのみサーブされうる。いくつかの実装形態では、あるノードは、少なくとも１つのノードに対して、シグナリング、データアクセス、登録、ページング、またはサービスのうちの少なくとも１つを提供しないように制限されてもよい。
【００６５】
いくつかの態様では、制限されたフェムトノード（非公開加入者グループＨｏｍｅ  ＮｏｄｅＢとも呼ばれうる）は、制限されたアクセス端末の準備されたセットにサービスを提供するものである。このセットは、必要に応じて一時的にまたは恒久的に拡大されうる。いくつかの態様では、非公開加入者グループ（「ＣＳＧ」）は、アクセス端末の共通のアクセス制御リストを共有するアクセスノード（例えばフェムトノード）のセットとして定義されうる。ある領域の全てのフェムトノード（または全ての制限されたフェムトノード）が動作するチャネルは、フェムトチャネルと呼ばれうる。
【００６６】
このように、所与のフェムトノードと所与のアクセス端末との間には、様々な関係が存在しうる。例えば、アクセス端末から見ると、公開のフェムトノードは、制限された接続のないフェムトノードを指しうる。制限されたフェムトノードは、何らかの方法で制限された（例えば接続および／または登録が制限された）フェムトノードを指しうる。ホームフェムトノードは、アクセス端末がアクセスと動作とを許可されるフェムトノードを指しうる。ゲストフェムトノードは、アクセス端末がアクセスまたは動作を一時的に許可されるフェムトノードを指しうる。異質（ａｌｉｅｎ）なフェムトノードは、例えば緊急時（例えば９１１番）を除いて、アクセス端末がアクセスまたは動作を許可されないフェムトノードを指しうる。
【００６７】
制限されたフェムトノードから見ると、ホームアクセス端末は、制限されたフェムトノードへのアクセスが許可されたアクセス端末を指しうる。ゲストアクセス端末は、制限されたフェムトノードへの一時的なアクセスを有するアクセス端末を指しうる。異質なアクセス端末は、例えば緊急時、例えば９１１番のような場合を除いて、制限されたフェムトノードにアクセスすることが許可されないアクセス端末（例えば、制限されたフェムトノードに登録するための認証情報または許可を有さないアクセス端末）を指しうる。
【００６８】
便宜的に、本明細書での開示は、フェムトノードに関して様々な機能を説明する。しかし、ピコノードが、より広いカバレッジエリアに、同一または同様の機能を提供することができることを理解されたい。例えば、ピコノードは制限されてもよく、ホームピコノードは所与のアクセス端末に対して定義されてもよい、などである。
【００６９】
ワイヤレス多重接続通信システムは、複数のワイヤレスアクセス端末のための通信を同時にサポートすることができる。上で述べたように、各端末は、順方向リンクと逆方向リンクとでの伝送を介して、１つまたは複数の基地局と通信することができる。順方向リンク（またはダウンリンク）は、基地局から端末への通信リンクを指し、逆方向リンク（またはアップリンク）は、端末から基地局への通信リンクを指す。この通信リンクは、単一入力単一出力のシステム、多入力多出力（「ＭＩＭＯ」）のシステム、または何らかの別の種類のシステムを介して確立されうる。
【００７０】
図１０を参照すると、一態様による多重接続ワイヤレス通信システムが示される。アクセスポイント（ＡＰ）１０００は複数のアンテナグループを含み、１つのグループは１００４と１００６とを含み、別のグループは１００８と１０１０とを含み、さらに別のグループは１０１２と１０１４とを含む。図１０では、２つのアンテナのみが各アンテナグループに対して示されているが、より多くのまたはより少ないアンテナが、各アンテナグループに使用されうる。アクセス端末（ＡＴ）１０１６は、アンテナ１０１２および１０１４と通信しており、アンテナ１０１２および１０１４は、順方向リンク１０２０を介してアクセス端末１０１６に情報を送信し、逆方向リンク１０１８を介してアクセス端末１０１６から情報を受信する。アクセス端末１０２２は、アンテナ１００６および１００８と通信しており、アンテナ１００６および１００８は、順方向リンク１０２６を介してアクセス端末１０２２に情報を送信し、逆方向リンク１０２４を介してアクセス端末１０２２から情報を受信する。ＦＤＤシステムでは、通信リンク１０１８、１０２０、１０２４および１０２６は、通信に異なる周波数を用いることができる。例えば、順方向リンク１０２０は、逆方向リンク１０１８が用いる周波数とは異なる周波数を用いてもよい。
【００７１】
アンテナの各グループおよび／またはアンテナが通信するように設計されるエリアは、アクセスポイントのセクタとよく呼ばれる。この態様では、アンテナグループはそれぞれ、アクセスポイント１０００がカバーするエリアのセクタの中のアクセス端末と通信するように設計される。
【００７２】
順方向リンク１０２０および１０２６を介した通信では、アクセスポイント１０００の送信アンテナは、異なるアクセス端末１０１６と１０２２とのための順方向リンクの信号対雑音比を改善するために、ビームフォーミングを利用する。また、ビームフォーミングを用いてカバレッジ全体にランダムに分散したアクセス端末に送信するアクセスポイントは、単一のアンテナを通じて全てのアクセス端末に送信するアクセスポイントよりも、近隣のセルのアクセス端末への干渉が少ない。
【００７３】
アクセスポイントは、端末との通信に用いられる固定局であってもよく、また、アクセスポイント、Ｎｏｄｅ  Ｂ、または何らかの他の用語で呼ばれうる。アクセス端末はまた、ユーザー装置（ＵＥ）、ワイヤレス通信デバイス、端末、または他の何らかの用語で呼ばれうる。
【００７４】
ＭＩＭＯシステムは、複数（ＮT個）の送信アンテナと複数（ＮR個）の受信アンテナとをデータ伝送に利用する。ＮT個の送信アンテナとＮR個の受信アンテナとで形成されるＭＩＭＯチャネルは、ＮS個の独立のチャネルに分解することができ、この独立のチャネルは空間チャネルとも呼ばれ、ＮS≦ｍｉｎ｛ＮT，ＮR｝である。ＮS個の独立のチャネルの各々は、次元に対応する。複数の送信アンテナと受信アンテナとで作られた追加の次元が利用されれば、ＭＩＭＯシステムの性能は向上しうる（例えばスループットの向上および／または信頼性の改善）。
【００７５】
ＭＩＭＯシステムは、時分割複信（「ＴＤＤ」）と周波数分割複信（「ＦＤＤ」）とをサポートすることができる。ＴＤＤシステムでは、順方向リンク伝送と逆方向リンク伝送とが同一の周波数領域上にあるので、相互の関係により順方向リンクチャネルを逆方向リンクチャネルから推定することができる。これにより、アクセスポイントは、複数のアンテナがアクセスポイントで利用可能である場合、順方向リンクで送信ビームフォーミング利得を抽出することが可能になる。
【００７６】
本明細書の教示は、少なくとも１つの他のノードと通信するための様々なコンポーネントを使用するノード（例えばデバイス）に、組み込まれうる。図１１は、ノード間の通信を容易にするために利用されうる、いくつかの例示的なコンポーネントを示す。具体的には、図１１は、ＭＩＭＯシステム１１００の、ワイヤレスデバイス１１１０（例えばアクセスポイント）とワイヤレスデバイス１１５０（アクセス端末）とを示す。デバイス１１００において、多くのデータストリームのためのトラフィックデータが、データソース１１１２から送信（「ＴＸ」）データプロセッサ１１１４に与えられる。
【００７７】
いくつかの態様では、各データストリームはそれぞれの送信アンテナを介して送信される。ＴＸデータプロセッサ１１１４は、そのデータストリームのために選択された特定のコーディング方式に基づいて、各データストリームのトラフィックデータをフォーマットし、コーディングし、インターリーブして、コーディングされたデータを提供する。
【００７８】
各データストリームのコーディングされたデータは、ＯＦＤＭ技術を用いてパイロットデータと多重化されうる。パイロットデータは、通常、既知の方法で処理される既知のデータパターンであり、チャネル応答を推定するために受信機システムにおいて使用されうる。各データストリームの多重化されたパイロットデータおよびコーディングされたデータは、次いで、そのデータストリームのために選択された特定の変調方式（例えばＢＰＳＫ、ＱＰＳＫ、Ｍ−ＰＳＫ、またはＭ−ＱＡＭ）に基づいて変調され（すなわちシンボルにマッピングされ）、変調シンボルを提供する。各データストリームのデータレート、コーディング、および変調は、プロセッサ１１３０により実行される命令によって決定されうる。データメモリ１１３２は、プログラムコードと、データと、プロセッサ１１３０またはデバイス１１１０の他のコンポーネントによって使用される他の情報とを格納しうる。
【００７９】
全てのデータストリームの変調シンボルは、次いで、ＴＸ  ＭＩＭＯプロセッサ１１２０に提供され、ＴＸ  ＭＩＭＯプロセッサ１１２０は、（例えばＯＦＤＭのために）変調シンボルをさらに処理する。次いで、ＴＸ  ＭＩＭＯプロセッサ１１２０は、ＮT個の変調シンボルストリームを、それぞれが送信機（ＴＭＴＲ）と受信機（ＲＣＶＲ）とを有するＮT個の送受信機（「ＸＣＶＲ」）１１２２ａ〜１１２２ｔに与える。いくつかの態様では、ＴＸ  ＭＩＭＯプロセッサ１１２０は、ビームフォーミングの重み付けを、データストリームのシンボルと、シンボルを送信するアンテナとに適用する。
【００８０】
各送受信機１１２２ａ〜１１２２ｔは、それぞれのシンボルストリームを受信および処理して１つまたは複数のアナログ信号を提供し、さらにアナログ信号を調整（例えば増幅、フィルタリングおよびアップコンバート）してＭＩＭＯチャネルを介した伝送に適した変調信号を提供する。送受信機１１２２ａ〜１１２２ｔからのＮT個の変調信号は、次いで、ＮT個のアンテナ１１２４ａ〜１１２４ｔにそれぞれ送信される。
【００８１】
デバイス１１５０において、送信される変調信号はＮR個のアンテナ１１５２ａ〜１１５２ｒにより受信され、各アンテナ１１５２ａ〜１１５２ｒからの受信された信号は、それぞれの送受信機（「ＸＣＶＲ」）１１５４ａ〜１１５４ｒに与えられる。各送受信機１１５４ａ〜１１５４ｒは、それぞれの受信された信号を調整（例えばフィルタリング、増幅、およびダウンコンバート）し、調整された信号をデジタル化してサンプルを提供し、サンプルをさらに処理して対応する「受信された」シンボルストリームを提供する。
【００８２】
受信（「ＲＸ」）データプロセッサ１１６０は、次いで、ＮR個の送受信機１１５４ａ〜１１５４ｒからのＮR個の受信されたシンボルストリームを、特定の受信機処理技術に基づいて受信および処理し、ＮT個の「検出された」シンボルストリームを提供する。ＲＸデータプロセッサ１１６０は、次いで、検出された各シンボルストリームを復調し、デインターリーブし、復号して、データストリームのトラフィックデータを回復する。ＲＸデータプロセッサ１１６０による処理は、デバイス１１１０のＴＸ  ＭＩＭＯプロセッサ１１２０とＴＸデータプロセッサ１１１４とにより実行される処理を補完するものである。
【００８３】
プロセッサ１１７０は、どのプリコーディング行列を使用するかを周期的に判定する。プロセッサ１１７０は、行列インデックス部分とランク値部分とを含む、逆方向リンクメッセージを作成する。データメモリ１１７２は、プログラムコードと、データと、プロセッサ１１７０またはデバイス１１５０の他のコンポーネントが使用する他の情報とを格納しうる。
【００８４】
逆方向リンクメッセージは、通信リンクおよび／または受信されたデータストリームに関する様々な種類の情報を備えうる。逆方向リンクメッセージは、次いで、データソース１１３６からの多くのデータストリームのトラフィックデータも受信するＴＸデータプロセッサ１１３８により処理され、変調器１１８０により変調され、送受信機１１５４ａ〜１１５４ｒにより調整され、デバイス１１１０に送信し戻される。
【００８５】
デバイス１１１０において、デバイス１１５０からの変調信号は、アンテナ１１２４ａ〜１１２４ｔにより受信され、送受信機１１２２ａ〜１１２２ｔにより調整され、復調器（「ＤＥＭＯＤ」）１１４０により復調され、ＲＸデータプロセッサ１１４２により処理されて、デバイス１１５０により送信される逆方向リンクメッセージを抽出する。プロセッサ１１３０は、次いで、ビームフォーミングの重み付けを決定するのにどのプリコーディング行列を用いるかを決定し、抽出されたメッセージを処理する。
【００８６】
図１１は、通信コンポーネントが、干渉制御の操作を実行する１つまたは複数のコンポーネントを含みうることも示す。例えば、干渉（「ＩＮＴＥＲ．」）制御コンポーネント１１９０は、プロセッサ１１３０および／またはデバイス１１１０の他のコンポーネントと協調して、別のデバイス（例えばデバイス１１５０）に／から信号を送る／受信することができる。同様に、干渉制御コンポーネント１１９２は、プロセッサ１１７０および／またはデバイス１１５０の他のコンポーネントと協調して、別のデバイス（例えばデバイス１１１０）に／から信号を送る／受信することができる。各デバイス１１１０および１１５０について、説明されたコンポーネントの２つ以上の機能が、単一のコンポーネントにより提供されうることを理解されたい。例えば、単一の処理コンポーネントは、干渉制御コンポーネント１１９０とプロセッサ１１３０との機能を提供することができ、単一の処理コンポーネントは、干渉制御コンポーネント１１９２とプロセッサ１１７０との機能を提供することができる。
【００８７】
上で説明された方法の様々な操作は、様々なハードウェアおよび／またはソフトウェアコンポーネント（複数可）および／または図面で示されるミーンズ・プラス・ファンクションのブロックに対応するモジュール（複数可）により実行されうる。一般に、対応する同等のミーンズ・プラス・ファンクションの図面を有する図面で示される方法がある場合、操作のブロックは同様の番号付けを有するミーンズ・プラス・ファンクションのブロックに対応する。例えば、図４に示される操作４００は、図４Ａに示されるミーンズ・プラス・ファンクションのブロック４００Ａに対応する。さらに、図５に示される操作５００は、図５Ａに示されるミーンズ・プラス・ファンクションのブロック５００Ａに対応する。
【００８８】
本明細書で使用されるように、用語「判定すること（ｄｅｔｅｒｍｉｎｉｎｇ）」は様々な動作を包含する。例えば、「判定すること」は、算出すること、計算すること、処理すること、導出すること、調査すること、検索すること（例えば表、データベースまたは別のデータ構造を検索すること）、解明することなどを含みうる。また、「判定すること」は、受信すること（例えば情報を受信すること）、アクセスすること（例えばメモリ内のデータにアクセスすること）などを含みうる。また、「判定すること」は、決定すること、選択すること（ｓｅｌｅｃｔｉｎｇ）、選ぶこと（ｃｈｏｏｓｉｎｇ）、確立することなどを含みうる。
【００８９】
情報および信号は、任意の様々な異なる技術と技法とを用いて、表すことができる。例えば、上の説明全体で言及されうるデータ、命令、コマンド、情報、信号などは、電圧、電流、電磁波、磁場または磁性粒子、光場または光子、またはこれらの任意の組み合わせで表すことができる。
【００９０】
本開示に関連して説明される、様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ信号（ＦＰＧＡ）または他のプログラム可能なロジックデバイス（ＰＬＤ）、個別のゲートまたはトランジスタロジック、個別のハードウェアコンポーネント、または本明細書で説明される機能を実行するように設計されたこれらの任意の組み合わせにより、実装または実施することができる。汎用プロセッサはマイクロプロセッサであってよいが、代替的には、プロセッサは任意の市販のプロセッサ、コントローラ、マイクロコントローラ、またはステートマシンであってよい。プロセッサはまた、コンピューティングデバイスの組み合わせ、例えば、ＤＳＰとマイクロプロセッサの組み合わせ、複数のマイクロプロセッサ、ＤＳＰコアに連結された１つまたは複数のマイクロプロセッサ、または任意の他のそのような構成として実装されてもよい。
【００９１】
本開示に関連して説明された方法のステップまたはアルゴリズムは、ハードウェアとして直接、プロセッサにより実行されるソフトウェアモジュールとして、またはこれら２つの組み合わせとして具現化されうる。ソフトウェアモジュールは、当技術分野で知られている任意の形態の記憶媒体に存在してよい。使用されうる記憶媒体のいくつかの例は、ランダムアクセスメモリ（ＲＡＭ）、読み取り専用メモリ（ＲＯＭ）、フラッシュメモリ、ＥＰＲＯＭメモリ、ＥＥＰＲＯＭメモリ、レジスタ、ハードディスク、取り外し可能なディスク、ＣＤ−ＲＯＭなどを含む。ソフトウェアモジュールは、単一の命令、または多くの命令を備えることができ、いくつかの異なるコードセグメントと、異なるプログラムと、複数の記憶媒体とに分散していてもよい。記憶媒体は、プロセッサが記憶媒体から情報を読み取り、記憶媒体に情報を書き込むことができるように、プロセッサに結合されうる。あるいは、記憶媒体はプロセッサと一体であってもよい。
【００９２】
本明細書で開示される方法は、説明された方法を実現するための、１つまたは複数のステップまたは動作を備える。方法のステップおよび／または動作は、特許請求の範囲から逸脱することなく、互いに入れ替えてもよい。言い換えると、ステップまたは動作の特定の順序が指定されない限り、特定のステップおよび／または動作の順序および／または使用は、特許請求の範囲から逸脱することなく修正されうる。
【００９３】
説明される機能は、ハードウェア、ソフトウェア、ファームウェア、またはこれらの任意の組み合わせで実装されうる。ソフトウェアで実装される場合、機能は、コンピュータ可読媒体に１つまたは複数の命令として格納されうる。記憶媒体は、コンピュータによりアクセスされうる任意の利用可能な媒体であってよい。限定ではなく例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、または所望のプログラムコードを命令またはデータ構造の形態で搬送するのに使用でき、コンピュータによりアクセスされうる任意の他の媒体を備えうる。ディスク（ｄｉｓｋ）およびディスク（ｄｉｓｃ）は、本明細書で用いられる場合、コンパクトディスク（ＣＤ）、レーザーディスク（登録商標）、光学ディスク、デジタル多目的ディスク（ＤＶＤ）、フロッピー（登録商標）ディスクおよびＢｌｕ−ｒａｙ（登録商標）を含み、ディスク（ｄｉｓｋ）は通常データを磁気的に再生し、ディスク（ｄｉｓｃ）はデータをレーザーにより光学的に再生する。
【００９４】
ソフトウェアまたは命令はまた、伝送媒体を介して伝送されうる。例えば、ソフトウェアが、ウェブサイト、サーバ、または別の遠隔のソースから、同軸ケーブル、光ファイバケーブル、ツイストペア、デジタル加入者線（ＤＳＬ）、または赤外線、無線、およびマイクロ波のようなワイヤレス技術で伝送される場合、同軸ケーブル、光ファイバケーブル、ツイストペア、ＤＳＬ、または赤外線、無線、およびマイクロ波のようなワイヤレス技術は、伝送媒体の定義に含まれる。
【００９５】
さらに、本明細書で説明される方法と技術とを実行するための、モジュールおよび／または他の適切な手段は、ダウンロードすることができ、かつ／または適宜別の方法でユーザー端末および／もしくは基地局から取得することができることを理解されたい。例えば、そのようなデバイスはサーバに結合されて、本明細書で説明される方法を実行するための手段の移動を容易にすることができる。あるいは、本明細書で説明される様々な方法は、記憶手段（例えば、ＲＡＭ、ＲＯＭ、コンパクトディスク（ＣＤ）またはフロッピーディスクなどのような物理的な記憶媒体など）を介して提供することができるので、ユーザー端末および／または基地局は、デバイスに記憶手段を結合または提供することで様々な方法を得ることができる。さらに、本明細書で説明される方法と技法とをデバイスに提供するための、任意の他の適切な技法が利用されうる。
【００９６】
特許請求の範囲は、上で例示されたものと全く同じ構成およびコンポーネントに限定されないことを理解されたい。様々な修正、変更および変形が、特許請求の範囲から逸脱することなく、上で説明された方法および装置の、構成と、動作と、詳細とになされうる。
【００９７】
前述の事項は本開示の実施形態に向けられたものであるが、本開示の他の実施形態およびさらなる実施形態を、本開示の基本的な範囲から逸脱することなく考案することができ、本開示の範囲は以下の特許請求の範囲により定められる。
【図１】
2013500636.tif 000003
【図２】
2013500636.tif 000004
【図３】
2013500636.tif 000005
【図４】
2013500636.tif 000006
【図４Ａ】
2013500636.tif 000007
【図５】
2013500636.tif 000008
【図５Ａ】
2013500636.tif 000009
【図６】
2013500636.tif 000010
【図７】
2013500636.tif 000011
【図８】
2013500636.tif 000012
【図９】
2013500636.tif 000013
【図１０】
2013500636.tif 000014
【図１１】
2013500636.tif 000015
【国際調査報告】
2013500636.tif 000016
2013500636.tif 000017
2013500636.tif 000018